(57)【要約】      （修正有）【課題】Ｇ．ｆａｓｔサービスとＶＤＳＬ２サービスとの間における共存について、技術を高度化する必要性がない通信方法を提供する。【解決手段】第１スペクトルにて第１伝送線１５１を介し第１データ１３１の通信を、時分割複信方式（ＴＤＤサービス）１７１に従って行う。第２スペクトルにて第２伝送線１５２を介し第２データ１３２の通信を、周波数分割複信方式（ＦＤＤサービス）に従って行う。第１および第２スペクトルは、いずれも重複スペクトルを有する。第１伝送線１５１および第２伝送線１５２における自己クロストークは、ＴＤＤサービスおよび／またはＦＤＤサービスを用いること、および／または電波ベクタリング技術にて、軽減される。【選択図】図１Ａ
2016086419.tif 000002
【特許請求の範囲】
【請求項１】
第１スペクトル（１２１）において第１伝送線（１５１）を介して時分割複信方式（１７１）に従って第１データ（１３１）を通信する工程と、
第２スペクトル（１２２）において第２伝送線（１５２）を介して周波数分割複信方式に従って第２データ（１３２）を通信する工程とを有し、
上記第１スペクトル（１２１）および上記第２スペクトル（１２２）は、いずれも重複スペクトル（１２５）を有しており、
上記第１伝送線（１５１）において、上記第２伝送線（１５２）からの第１のクロストーク（１６１）が発生し、
上記第２伝送線（１５２）において、上記第１伝送線（１５１）からの第２のクロストーク（１６２）が発生する方法。
【請求項２】
少なくとも上記第１のクロストーク（１６１）を有しかつ上記第１伝送線（１５１）に関連付けられた上記ノイズレベルを示す値を決定する工程をさらに有しており、
上記第１データ（１３１）を通信する工程では、上記第１伝送線（１５１）に関連付けられた上記ノイズレベルを示す上記値に基づく上記第１スペクトル（１２１）の動的スペクトル管理を使用する請求項１に記載の方法。
【請求項３】
上記第１データ（１３１）は、上記第１スペクトル（１２１）内に配列された複数の搬送波（１８１）を用いて通信され、
上記動的スペクトル管理を使用する工程は、上記複数の搬送波（１８１）の１つ１つについて、上記第１伝送線（１５１）に関連付けられた上記ノイズレベルを示す上記決定値に依存して、上記第１データ（１３１）を通信する工程における割当ビット数を選択する工程とを有する請求項２に記載の方法。
【請求項４】
上記動的スペクトル管理を用いる工程は、上記第１伝送線（１５１）に関連付けられた上記ノイズレベルを示す上記決定値に依存して、上記第１伝送線（１５１）上で伝送するための伝送電力を選択する工程を有する請求項２または３に記載の方法。
【請求項５】
上記第１伝送線（１５１）上で上記伝送するための上記伝送電力を選択する工程は、注水アルゴリズムの水面（２２９）の基準として、上記第１伝送線（１５１）に関連付けられた上記ノイズレベルを示す上記値；上記第１スペクトル（１２１）内に配列された上記複数の搬送波（１８１）の１つ１つにおける値；上記第１データ（１３１）の上記通信における各上位閾値（２２１）の少なくとも１つ；および上記複数の搬送波（１８１）をまたがった積分上位閾値（２０１）のうちの少なくとも１つを考慮した注水アルゴリズムに依存する請求項４に記載の方法。
【請求項６】
上記第１データ（１３１）は、上記第１スペクトル（１２１）内に配列された上記複数の搬送波（１８１）を用いて通信され、
上記第１伝送線（１５１）に関連付けられた上記ノイズレベルを示す上記値は、上記第１伝送線（１５１）の長さに依存して決定され、
上記複数の搬送波（１８１）の１つ１つについて、上記第１伝送線（１５１）に関連付けられた上記ノイズレベルを示す上記値に依存する上記第１伝送線（１５１）上で伝送するための伝送電力の各上位閾値（２２５）を決定する工程をさらに有する請求項２から５のいずれか一項に記載の方法。
【請求項７】
上記第１伝送線（１５１）に関連付けられた上記ノイズレベルを示す上記値は、上記第１スペクトル（１２１）内に配列された複数の周波数にスペクトル分解されて決定され、
上記動的スペクトル管理は、スペクトル分解されて行われる請求項２から６のいずれか一項に記載の方法。
【請求項８】
上記第１伝送線（１５１）に関連付けられた上記ノイズレベルを示す上記値は、上記第１伝送線（１５１）のそれぞれに対して個別に決定される請求項２から７のいずれか一項に記載の方法。
【請求項９】
上記第１データ（１３１）の上記通信よりも前のトレーニング期間（１２０１）の間、および上記第２データ（１３２）の上記通信の間において、上記第２データ（１３２）の上記通信において上記第１伝送線（１５１）からのクロストークが上記第２のクロストーク（１６２）よりも小さく低減するように上記時分割複信方式（１７１）を保護モードにおいて初期化する工程を有する請求項１から８のいずれか一項に記載の方法。
【請求項１０】
上記第１データ（１３１）の上記通信よりも前のトレーニング期間（１２０１）の間、および上記第２データ（１３２）の上記通信の間において、上記重複スペクトル（１２５）内における第１伝送線（１５１）上で伝送するための伝送電力を、定義済みの下位閾値に設定する工程をさらに有する請求項１から９のいずれか一項に記載の方法。
【請求項１１】
第１データ（１３１）の上記通信の間における表示時間の開始時において、上記重複スペクトル（１２５）における上記第１伝送線（１５１）上で伝送するための上記伝送電力を、上記定義済みの下位閾値から段階的に増加させる請求項１０に記載の方法。
【請求項１２】
上記第１データ（１３１）の上記通信よりも前のトレーニング期間（１２０１）の間、および上記第２データ（１３２）の上記通信の間において、上記第１伝送線（１５１）を介して上記周波数分割複信方式に従って上記重複スペクトル（１２５）内の同期シンボルを通信する請求項１から１１のいずれか一項に記載の方法。
【請求項１３】
上記同期シンボルの上記通信に応答して、少なくとも上記第２のクロストーク（１６２）を有する上記第２伝送線（１５２）の上記ノイズレベルを示す上記値を検索する工程と、
上記第２伝送線（１５２）の上記ノイズレベルを示す上記検索値に基づいて、定義済みの下位閾値を決定する工程とをさらに有する請求項１１または１２に記載の方法。
【請求項１４】
上記第１データ（１３１）の上記通信よりも前のトレーニング期間（１２０１）の間、および上記第２データ（１３２）の上記通信の間において、上記第１伝送線（１５１）を介しかつ上記重複スペクトル（１２５）においてトレーニングデータを伝送する工程と、
上記トレーニングデータの上記通信に基づいて、少なくとも上記第１のクロストーク（１６１）を有する上記第１伝送線（１５１）に関連付けられた上記ノイズレベルを示す上記値を決定する工程をさらに有する請求項１から１３のいずれか一項に記載の方法。
【請求項１５】
上記トレーニングデータは、上記第１スペクトル（１２１）内に配列された複数の搬送波（１８１）上で通信され、
上記トレーニングデータは、上記複数の搬送波（１８１）に対して直交にコード化される請求項１４に記載の方法。
【請求項１６】
トレーニング期間（１２０１）の間、上記第１データ（１３１）および上記第２データ（１３２）のうちの所望の一方の上記通信の間であると共に、上記第１データ（１３１）および上記第２データ（１３２）のうちの所望の上記通信よりも前の間において、上記第１伝送線（１５１）または上記第２伝送線（１５２）の１つに対して適応性のある仮想ノイズをそれぞれ追加する工程をさらに有する請求項１から１５のいずれか一項に記載の方法。
【請求項１７】
上記第１データ（１３１）は、Ｇ．ｆａｓｔサービスを用いて通信され、
上記第２データ（１３２）は、ＶＤＳＬ２サービスを用いて通信される請求項１から１６のいずれか一項に記載の方法。
【請求項１８】
上記第２スペクトル（１２２）は、２ＭＨｚ〜３５ＭＨｚ、好ましくは２ＭＨｚ〜３０ＭＨｚ、さらに好ましくは２ＭＨｚ〜１７ＭＨｚである請求項１から１７のいずれか一項に記載の方法。
【請求項１９】
上記重複スペクトル（１２５）は、２ＭＨｚ〜３５ＭＨｚ、好ましくは２ＭＨｚ〜３０ＭＨｚ、さらに好ましくは２ＭＨｚ〜１７ＭＨｚである請求項１から１８のいずれか一項に記載の方法。
【請求項２０】
第１スペクトル（１２１）において第１伝送線（１５１）を介して時分割複信方式（１７１）に従って第１データ（１３１）を通信するように構成される第１無線通信機（１０１，１１１）と、
第２スペクトル（１２２）において第２伝送線（１５２）を介して周波数分割複信方式に従って第２データ（１３２）を通信するように構成される第２無線通信機（１０２、１１２）とを備えており、
上記第１スペクトル（１２１）および上記第２スペクトル（１２２）は、いずれも重複スペクトル（１２５）を有しており、
上記第１伝送線（１５１）において上記第２伝送線（１５２）からの第１のクロストーク（１６１）が発生し、
上記第２伝送線（１５２）において、上記第１伝送線（１５１）からの第２のクロストーク（１６２）が発生するシステム（１００）。
【発明の詳細な説明】
【発明の詳細な説明】
【０００１】
（技術分野）
さまざまな実施形態によれば、方法およびシステムが提供される。さまざまな実施形態に関して、第１スペクトルにおいて第１伝送線を介して時分割複信方式に従って第１データを伝送すると共に、第２スペクトル内において第２伝送線を介して周波数分割複信方式に従って第２データを伝送する通信技術が提供される。第１および第２スペクトルの双方とも、重複するスペクトルを有する。
【０００２】
（背景技術）
アクセス通信マーケットにおける最近の傾向によると、ＩＴＵ−Ｔ勧告Ｇ．９９３．５（ＩＴＵ−Ｔ勧告Ｇ．９９３．５−２０１０  ＶＤＳＬ２送受信機と共に使用するための、自己ＦＥＸＴキャンセル（ベクタリング）、２０１０、を参照）において規定されるベクタリングを使用した超高速デジタル加入者線２（ＶＤＳＬ２）サービスによって提供される１００Ｍｂ／ｓまでのデータレートは常に十分であるとは限らないことが、示されている。１．０Ｇｂ／ｓまでのビットレートが、時には必要である。ＶＤＳＬ２は、ノイズ減少のためのベクタリングを用いる。ＶＤＳＬ２は、１０００ｍまでの距離のためのファイバー・トゥ・ザ・カーブ（ＦＴＴＣ）アーキテクチャにおける街路側のキャビネットから提供される。
【０００３】
そのような高速ビットレートは、Ｇ．ｆａｓｔサービスを用いて可能となる（ＩＴＵ−Ｔ勧告Ｇ．９７０１  加入者端末への高速アクセス−物理レイヤ仕様、２０１３を参照）。Ｇ．ｆａｓｔ技術は、サービスが利用者に対して５０ｍ〜１００ｍ程度の近さにある配線位置（ＤＰ）から提供されるファイバー・トゥ・ザ・ディストリビューションポイント（ＦＴＴｄｐ）ネットワーク接続形における、比較的高速なデータレートを達成する。
【０００４】
いくつかの場合、高速ビットレートを用いて短くかつ中間の範囲を利用者に提供するためにＶＤＳＬ２  ＦＴＴＣの位置からＧ．ｆａｓｔ  ＦＴＴｄｐ技術を展開するなどして、ＦＴＴＣに基づくＶＤＳＬ２と、ＦＴＴｄｐに基づくＧ．ｆａｓｔとの間の中間工程を実行可能である。
【０００５】
中間工程（Ｇ．ｆａｓｔサービスのロールアウトの間）では、Ｇ．ｆａｓｔデータ速度は、２００〜４００ＭＢｉｔ／ｓに減少されるが、その範囲は、２５０ｍである正規のＦＴＴｄｐ Ｇ．ｆａｓｔ範囲をはるかに超える。拡張されたＧ．ｆａｓｔサービスの範囲は、４００ｍにまで達し、それゆえこのような範囲において、正規のＧ．ｆａｓｔと、ＦＴＴＣから展開されたＶＤＳＬ２とが共存することが可能となるべきである。これにより、ＦＴＴＣのＶＤＳＬ２を高速ＦＴＴｄｐ  Ｇ．ｆａｓｔサービスに段階的に置換することが可能となる。
【０００６】
このような段階的な置換を実施するには、ある程度の不具合および限界が生じることがある。たとえば、長範囲Ｇ．ｆａｓｔに基づく伝送では、スペクトルの高周波数成分における伝送が著しく減衰することがある。一方、ＶＤＳＬ２システムを高速ＦＦＴｄｐ Ｇ．ｆａｓｔシステムに段階的に置換する間、スペクトルの低周波数成分が、ＶＤＳＬ２システムによってしめられうる使用されることがある。このように、Ｇ．ｆａｓｔに基づいた伝送のための使用可能なスペクトルは、制限される。
【０００７】
以上のように、Ｇ．ｆａｓｔサービスとＶＤＳＬ２サービスとの間における共存について技術を高度化する必要性がある。
【０００８】
この必要性は、本独立請求項の特徴点により解消される。従属請求項は、実施形態を定義する。
【０００９】
一態様によれば、方法が提供される。当該方法は、第１スペクトルにおいて第１伝送線を介して時分割複信方式に従って第１データを通信する工程を有する。さらに、上記方法は、第２スペクトルにおいて第２伝送線を介して周波数分割複信方式に従って第２データを通信する工程を有する。上記第１スペクトルおよび上記第２スペクトルは、いずれも重複スペクトルを有する。上記第１伝送線において、上記第２伝送線からの第１のクロストークが発生する。上記第２伝送線において上記第１伝送線からの第２のクロストークが発生する。
【００１０】
さらなる一態様によれば、システムが提供される。当該システムは、第１無線通信機および第２無線通信機を備えている。上記第１無線通信機は、上記第１スペクトルにおいて上記第１伝送線を介して時分割複信方式に従って第１データを通信するように構成されている。第２無線通信機は、上記第２スペクトルにおいて上記第２伝送線を介して周波数分割複信方式に従って第２データを通信するように構成されている。上記第１スペクトルおよび上記第２スペクトルは、いずれも重複スペクトルを有する。上記第１伝送線において、上記第２伝送線からの第１のクロストークが発生する。上記第２伝送線において、上記第１伝送線からの第２のクロストークが発生する。
【００１１】
さらなる一態様によれば、コンピュータプログラム製品が提供される。当該コンピュータプログラム製品は、少なくとも１つのプロセッサによって実行されるためのプログラムコードを含む。上記少なくとも１つのプロセッサによって上記プログラムコードを実行することにより、上記プロセッサが方法を実行する。当該方法は、第１スペクトルにおいて第１伝送線を介して時分割複信方式に従って第１データを通信する工程を有する。さらに、上記方法は、第２スペクトルにおいて第２伝送線を介して周波数分割複信方式に従って第２データを通信する工程を有する。上記第１スペクトルおよび上記第２スペクトルは、いずれも重複スペクトルを有する。上記第１伝送線において、上記第２伝送線からの第１のクロストークが発生する。上記第２伝送線は、上記第１伝送線からの第２のクロストークが発生する。
【００１２】
上述した特徴および後述する特徴は、上記にて示した各組み合わせに使用されるだけでなく、本発明の適用範囲から離れることのない組み合わせまたは単独で使用され得る。
【００１３】
上述の特徴および追加の特徴および本発明の効果は、添付の図面を参照して読むことにより、後述の詳細な記載から明らかになるであろう。なお、図面には、同一の構成に同一の数字を付している。
【００１４】
（図面の簡単な説明）
図１Ａは、第１伝送線を介しておよび第２電線経路を介して通信するための、上記第１伝送線において上記第２伝送線から第１のクロストークが発生しかつ上記第２伝送線において上記第１伝送線から第２のクロストークが発生する、さまざまな実施形態に係るシステムの概要図である。
【００１５】
図１Ｂは、さまざまな実施形態に係る図１Ａのシステムをより詳細に示す概要図であり、Ｇ．ｆａｓｔおよびＶＤＳＬ２の無線通信機に共通した位置づけに関するＦＦＴＣ接続形態を示す。
【００１６】
図１Ｃは、さまざまな実施形態に係る図１Ａのシステムをより詳細に示す概要図であり、Ｇ．ｆａｓｔおよびＶＤＳＬ２の無線通信機の遠隔操作に関するＦＦＴｄｐ接続形態を示す。
【００１７】
図２は、Ｇ．ｆａｓｔが第１スペクトルを使用すると共に、ＶＤＳＬ２が第２スペクトルを使用しかつ第１スペクトルおよび第２スペクトルは重複していない基準実装に係る図１Ａの第１伝送線および第２伝送線を介して通信する際のスペクトルの占有を示す模式図である。
【００１８】
図３は、Ｇ．ｆａｓｔが第１スペクトルを使用すると共に、ＶＤＳＬ２が第２スペクトルを占有しかつ第１および第２スペクトルは重複スペクトルにおいて重複しているさまざまな実施形態に係る図１Ａの第１伝送線および第２伝送線を介して通信する際のスペクトルの占有を示す模式図である。
【００１９】
図４は、Ｇ．ｆａｓｔサービスによる第１伝送線を介した上記通信の上記第１スペクトル、およびＶＤＳＬ２サービスによる第２伝送線を介した上記通信の第２スペクトルをより詳細に示す図である。
【００２０】
図５は、近端クロストークおよび遠端クロストークが示される、第２のクロストークをより詳細に示す図である。
【００２１】
図６Ａは、さまざまな実施形態に係るＧ．ｆａｓｔサービスによる第１伝送線を介した上記通信の第１スペクトルをより詳細に示す図である。
【００２２】
図６Ｂは、さまざまな実施形態に係るＧ．ｆａｓｔサービスによる第１伝送線を介した上記通信の第１スペクトルをより詳細に示す図である。
【００２３】
図７は、さまざまな実施形態に係る第１伝送線を介した上記通信の第１スペクトルをより詳細に示す図である。
【００２４】
図８は、さまざまな実施形態に係る方法のフローチャートである。
【００２５】
図９は、さまざまな実施形態に係る方法のフローチャートである。
【００２６】
（発明を実施するための形態）
以下に、本発明に係る実施形態について、添付の図面を参照しながら詳細に説明する。後述する実施形態に関する説明は、意味を制限して利用されるものではないと理解されるべきである。本発明の適用範囲は、以下に説明する実施形態および図面によって制限されることを意図されておらず、当該実施形態および図面は単に実施例として利用される。
【００２７】
図面は、概要説明としてみなされるためにあり、図面に示されている構成は、必ずしも一定の縮尺で示されているわけではない。どちらかといえば、種々の構成が、それらの機能および概要目的が当業者にとって明らかとなるように示されている。また、図面に示されたまたはここに説明された、機能ブロック、機器、構成要素、または他の物理的もしくは機能的装置の間における関係または結合は、二次的な関係または結合により実行され得る。また、構成要素間の結合は、無線の接続上に確率され得る。機能ブロックは、ハードウェア、ファームウェア、ソフトウェアまたはこれらの組み合わせで実行され得る。
【００２８】
図１Ａに示すように、以下に、第１伝送線１５１を介する第１スペクトル内の通信と、第２伝送線１５２を介する第１スペクトル内の通信との共存技術が開示される。第１データ１３１は、第１伝送線１５１を介して送信および／または受信（通信）され、第２データ１３２は、第２伝送線を介して通信される。第１データ１３１および第２データ１３２は、制御データ、高位レイヤ付けデータ、および／またはトレーニングデータであり得る。一般に、ここに開示される技術は、一方向性の通信および／または双方向性の通信（たとえば、上り（ＵＳ）および／または下り（ＤＳ）の通信）に関連してもよい。ＵＳまたはＤＳの通信に依存して、各システム１００の無線通信機１０１，１１１、１０２、１１２は、送信機または受信機として作動してもよい。
【００２９】
第１伝送線を介した通信は、たとえば同期されたＴＤＤ（ｓ‐ＴＤＤ）のような時分割複信方式（ＴＤＤ）に従う。第２伝送線を介した通信は、周波数分割複信方式（ＦＤＤ）に従う。このため、第１および第２伝送線に対して異なるサービスがそれぞれ用いられる。
【００３０】
第１および第２伝送線１５１，１５２において、相互のクロストークが発生する。たとえば、第１伝送線１５１（第２伝送線１５２）において、第２伝送線１５２（第１伝送線１５１）からの第１のクロストーク１６１（第２のクロストーク１６２）が発生する。時に、この相互クロストークは、隣接クロストークとも称される。クロストーク１６１，１６２は、近端クロストーク（ＮＥＸＴ）および／または遠端クロストーク（ＦＥＸＴ）を有し得る。相互クロストーク１６１，１６２は、第１および第２スペクトルの両方のために、および／または、第１および第２伝送線が、密集した空間的近接内（たとえば、同様のケーブルを結束したもの内など）に配列されるために、重複スペクトルを使用していてもよい。重複スペクトルは、重複する第１および第２スペクトルと関連していてもよい。たとえば、一定の周波数の範囲（より具体的には、数ｋＨｚ〜数十ＭＨｚ）が、第１および第２伝送線１５２の両方を介して通信によって使用されていてもよい。
【００３１】
非隣接クロストーク、すなわち、第１伝送線１５１および第２伝送線１５２における自己クロストークは、ＴＤＤサービスおよび／またはＦＤＤサービスを用いることによって、および／または電波ベクタリング技術によって、それぞれ軽減され得る。
【００３２】
いくつかのケースでは、ここで開示された技術は、接続される家庭の適用に応用され得る。特に、さまざまな伝送構成を柔軟に実装することが可能であり得るし、さまざまなデータ転送速度を実装することが可能であり得る。多くの機器が接続されたインターネット・オブ・シングスの適用が可能になる。
【００３３】
いくつかのケースでは、ここで開示された技術は、電波ベクトル化されたＶＤＳＬまたはＶＤＳＬ２と共存することが可能な伝送システムに基づいた長距離Ｇ．ｆａｓｔに用いられてもよい。Ｇ．ｆａｓｔは、ＶＤＳＬ／ＶＤＳＬ２がＦＤＤ方式を用いている間、ＴＤＤ方式を用いる。以下に、ＶＤＳＬまたはＶＤＳＬ２と組み合わせられた状態にあるＧ．ｆａｓｔに関して、さまざまな例を開示する。ただし、各概要および各技術は、伝送技術の異なる種類に容易に応用され得る。
【００３４】
図１Ｂおよび１Ｃは、説明の例として提供されるシステムモデルの態様を示す。図１Ｂおよび１Ｃは、図１Ａに示す概要の接続形態の例をより詳細に示す。通信は、クロストーク１６１，１６２によって（たとえば、ＮＥＸＴおよびＦＥＸＴの両方によって）接続された同じ媒体を共有する２つの異なるサービス１７１，１７２によって実行される。一方のサービス１７２は、たとえばＶＤＳＬ２のような旧式のーサービスを提供し、周波数スペクトルの下方部分を使用する一方で、高位の伝送電力を使用することが可能となっている。もう一方のサービス、たとえばＧ．ｆａｓｔサービス１７１は、低位の伝送電力でより幅の広い周波数スペクトルを使用する。これらの電力の設定は、説明を簡単にすることに関係して選択される。他の実装において、他の設定が使用され得る。
【００３５】
図１Ｂおよび１Ｃには、Ｇ．ｆａｓｔの伝送線１５１およびＶＤＳＬ２の伝送線１５２が同じ結束ケーブル１５５内に共存する実施例のための２つの形態が示されている。
【００３６】
一方のケースは、図１Ｂに示すように、マルチモードの街路側のキャビネットであり、たとえばＦＴＴＣである。Ｇ．ｆａｓｔサービス１７１およびＶＤＳＬ２サービス１７２は、両方とも、街路側のキャビネットから提供される。より長い線路長につながった加入者、または、高いパフォーマンスサービスに改良されることを望まない加入者には、比較的に低いビットレート（１００Ｍｂ／ｓまで）を用いることがＶＤＳＬ２伝送線１５２によってサービスが提供される。線路長につながった加入者は、数百Ｍｂ／ｓのビットレートを用いてＧ．ｆａｓｔサービス１７２を使用することができる。
【００３７】
図１Ｂに示されたこのケースは、通常は最も強力な減損であるＮＥＸＴクロストーク１６１，１６２に関して、感度が高いものである。ただし、Ｇ．ｆａｓｔサービス１７１およびＶＤＳＬ２サービス１７２は、両方とも、同じ場所から自身の信号をそれぞれ伝送するため、当該伝送はいくつかの実施形態において継続的に調整され得る。
【００３８】
さらに他の例において、図１Ｃに示された概要のように、システム１００は、上記加入者に接近して設置されたＤＰｓによって拡張される。上記ＤＰｓは、それぞれの無線通信機１０１を収容することにより、Ｇ．ｆａｓｔのみを通常は提供する。図１Ｃに示された概要において、ＶＤＳＬ２サービス１７２は、ＤＰが利用者建物装置（ＣＰＥ）により接近して導入されている間、今までどおり、街路側のキャビネットから提供される。このように、ケーブル全長のある部分のために、Ｇ．ｆａｓｔおよびＶＤＳＬ２伝送線１５１，１５２の信号は、同一の結束ケーブル１５５を使用し、相互クロストーク１６１，１６２を引き起こす。このような概要において、ＶＤＳＬ２サービス１７２は、主として、Ｇ．ｆａｓｔサービス１７１をサポートしないＣＰＥを使用する旧来の加入者のために、存在する。ＶＤＳＬ２サービス１７２が、今までどおり街路側のキャビネットから分散されている他の理由は、広帯域サービスが、同様のケーブルを結束したもの上で提供される一方で、Ｇ．ｆａｓｔサービス１７１は提供されないという競争の制約の結果である。
【００３９】
図１Ｃに示す接続形態において、ＶＤＳＬ２およびＧ．ｆａｓｔ無線通信機１０１、１０２、１１１、１１２は、共通の場所に設置されていない。このように、Ｇ．ｆａｓｔ伝送線１５１とＶＤＳＬ２伝送線１５２との間にあるＮＥＸＴは、街路側のキャビネットとＤＰとの間にある線路長によって減衰する。ＮＥＸＴに対する実体的な減衰は、通常、この線路長が百または数百メートルごとにもたらされる。これにより、相互クロストーク１６１，１６２が減少する。
【００４０】
ただし、図１Ｃによるこのケースにおいて、ＤＰから分散されたＧ．ｆａｓｔサービス１７１と、街路側のキャビネットから分散されたＶＤＳＬ２サービス１７２との間の調整が、アクティブでない場合が起こり得る。いつくかのケースでは、それにもかかわらず、中央の調整が起こり得る。特定の信号を送ることが可能となる。中央の調整は、ＶＤＳＬ２伝送線１５２が参加を開始することをＧ．ｆａｓｔサービス１７１に通知することにより、および、Ｇ．ｆａｓｔ伝送線１５１が参加を開始することをＶＤＳＬ２サービス１７２に通知することにより、安定性を改善するために使用することが可能である。
【００４１】
Ｇ．ｆａｓｔの公表中、ＶＤＳＬサービス１７２をＧ．ｆａｓｔサービス１７１に徐々に置き換えるということが望まれるかもしれない。徐々に置き換えるには、通常、Ｇ．ｆａｓｔ伝送線１５１とＶＤＳＬ２伝送線１５２とが共存する必要がある。参照実施例によると、クロストークを回避することにより、Ｇ．ｆａｓｔ伝送線１５１とＶＤＳＬ２伝送線１５２との共存が達成される。クロストーク１６１，１６２は、図２と比較して、異なる（たとえば、重複していない）周波数帯域（スペクトル）１２１、１２２をＧ．ｆａｓｔ１７１およびＶＤＳＬ２１７２に対してそれぞれ使用することにより、回避される。各サービス１７１，１７２は、当該サービス間にあるガードバンドと共に、自身が使用する排他的な周波数帯域を有する。通常は、ＶＤＳＬ２サービス１７２は、１７ＭＨｚまでの周波数を使用し、Ｇ．ｆａｓｔサービス１７１は、２０ＭＨｚまたは２３ＭＨｚの周波数で開始し、Ｇ．ｆａｓｔサービス７１１は、１０６ＭＨｚまでのスペクトルを使用する。仮に、ＶＤＳＬ２サービス１７２が３０ＭＨｚまでの周波数を使用するとすれば、Ｇ．ｆａｓｔサービス１７１は、当該周波数より高い周波数で開始しなければならない。この近似により、ＶＤＳＬ２サービス１７２とＧ．ｆａｓｔサービス１７２との間にあるＮＥＸＴおよびＦＥＸＴが回避される一方、Ｇ．ｆａｓｔサービス１７１のデータ転送速度に関する実体的な減衰が、特に、より長い（たとえば、２００ｍ以上の線路長を有する）伝送線１５１に対して、生じる。このことは、より長い伝送線１５１により、通常、比較的より高い周波数において多くの減衰が生じるためである。その結果、Ｇ．ｆａｓｔサービス１によりビットレートが著しく減衰することにより、ＶＤＳＬ２  １７２の上位の周波数を超えたＧ．ｆａｓｔサービス１７１スペクトル１２１の狭い部分が、利用され得る（図２の中央部分を参照）。
【００４２】
さらに参照実装によると、ＦＴＴＣネットワーク内でのデータ転送速度は、ＶＤＳＬ２サービス１７２を使用することによって、３０ＭＨｚプロファイルに増加される。ＦＴＴＣネットワーク内で使用された周波数は、拡張される（図２に不図示）。このような参照実装において、ＶＤＳＬ２の１７２の伝送線１５２は、３５ＭＨｚまでの周波数を使用することができる。しかしながら、ＶＤＳＬ２サービス１７２は、通常、ＶＤＳＬ２の解決策を方向付けた旧来の１７ＭＨｚと互換性を有するように修正される必要がある。そのうえ、この近似により短距離におけるビットレートが微小に増加し、この近似はＧ．ｆａｓｔ  ＦＴＴｄｐと同時に存在することができない。なぜなら、隣接クロストークフリーＧ．ｆａｓｔスペクトルが、十分に残されていないためである。
【００４３】
ここに開示された技術によって、さまざまな効果が奏され得る。たとえば、ＦＴＴＣから展開されたＧ．ｆａｓｔサービス１７１の範囲は、３０ＭＨｚ未満の周波数スペクトルを使用することにより拡張され、拡張された当該範囲は、ＶＤＳＬ２サービスによってうまく使用され、Ｇ．ｆａｓｔサービスは、ＶＤＳＬ２サービス１７２と共存することを確実にするクロストーク管理を用いることができる。いくつかの実施形態におけるこのアプリケーションによって、拡張された範囲を有するＧ．ｆａｓｔサービス１７１は、ＶＤＳＬ２サービス１７２の性能の低下が皆無または微小の状態で、既存の（旧来の）ＶＤＳＬ２サービス１７２と同時に存在することが可能となる。Ｇ．ｆａｓｔサービス１７１は、正規のＶＤＳＬ２街路側のキャビネットから展開され得るし、高速度サービスに接続した加入者の十分な割合に達していてもよい。
【００４４】
提案された解決手段によると、長い長さのＧ．ｆａｓｔサービス１７１によってサポートされることが不可能な、非常に長い回線長に接続された加入者は、ＶＤＳＬ２サービス１７２に戻ることができる。たとえば、ＶＤＳＬ２サービス１７２は、同じ街路側のキャビネットから提供され得る。Ｇ．ｆａｓｔサービス１７１をサポートしない旧来のＣＰＥの加入者は、ＶＤＳＬ２サービス１７２も用いることができる。品質が向上されると共に、短い線および中間の線に接続されたサービスを必要とする加入者は、Ｇ．ｆａｓｔサービス１７１（たとえば、正規または拡張された範囲のＧ．ｆａｓｔサービス１７１）に接続され得る。
【００４５】
上述した実施形態で動作するために、ここに開示されたさまざまな技術によって、Ｇ．ｆａｓｔサービス１７１は、ＶＤＳＬ２サービス１７２（たとえば、軽減されたクロストーク状態で、同様の街路側のキャビネットから提供されるＶＤＳＬ２サービス１７２）と共存することが可能となる。さらに、ＶＤＳＬ２サービス１７２は、通常、旧来のＦＴＴＣの展開であるため、ここに開示された技術に依存しているＧ．ｆａｓｔサービス１７１を使用して品質向上がもたらされることにより、既存の長い長さのＶＤＳＬ２サービス１７２上への衝撃がほとんどまたは全く皆無となり得る。
【００４６】
図３は、重複する第１および第２の周波数スペクトル１２１、１２２の一例を示す。いくつかの実施形態において、拡張されたＧ．ｆａｓｔの範囲は、Ｇ．ｆａｓｔサービス１７１が、ＶＤＳＬ２サービス１７２によって利用される少なくともいくつかの周波数特に、２ＭＨｚから１７ＭＨｚ（たとえば、１７ＭＨｚ‐ＶＤＳＬ２サービス１７１のプロファイルが使用される場合）、および２ＭＨｚから３０ＭＨｚ（３０ＭＨｚ‐ＶＤＳＬ２サービス１７２のプロファイルが使用される場合）を使用することにより達成される。それゆえ、Ｇ．ｆａｓｔサービス１７１の第１スペクトル１２１およびＶＤＳＬ２サービス１７２の第２スペクトル１２２は両方とも、図３に示すように、重複スペクトル１２５を有する。従来技術において通常展開されるガードバンド（たとえば、１７ＭＨｚのＶＤＳＬ２サービス１７２の場合には１７ＭＨｚから２３ＭＨｚ）は、いくつかのケースでは必須ではない。巡回接頭語などのＧ．ｆａｓｔサービス１７１の範囲制限パラメータが、拡張された最大範囲に対して選択される。
【００４７】
重複スペクトル１２５は、相互クロストーク１６１，１６２の原因となる。相互クロストーク１６１，１６２は、ＶＤＳＬ２とＧ．ｆａｓｔ伝送線１５１，１５２との間に、他のＮＥＸＴおよび他のＦＥＸＴを有し得る。たとえば、非対称デジタル加入者回線（ＡＤＳＬ）およびＦＤＤを使用するＶＤＳＬ２サービス１７２とは異なり、Ｇ．ｆａｓｔサービス１７２はｓ‐ＴＤＤを使用する。このため、Ｇ．ｆａｓｔサービス１７２とＶＤＳＬ２サービス１７２との間に、通常、現在実行される共存ＡＤＸＬおよびＶＤＳＬ２サービス１７２に対してよりも強いＮＥＸＴが存在する。たとえば、共存ＡＤＳＬおよびＶＤＳＬ２サービス１７２は、ＦＥＸＴによって大部分特徴づけられて得る。
【００４８】
いくつかのケースにおいて、Ｇ．ｆａｓｔサービス１７１に従った通信サービスの質、および／またはＶＤＳＬ２サービス１７１に従った通信サービスの質が低下することを回避するために、対抗策が用いられる。このような対抗策により、相互クロストーク１６１，１６２が軽減する。このような対抗策は、適合されたスタートアップシーケンスおよびアクティブリンク上での適応によって、リンクの安定性を維持することを、たとえば、ペイロードデータが通信される表示時間の間、有し得る。
【００４９】
このような対抗策は、Ｇ．ｆａｓｔサービス１７１に従った第１データ１３１の上記通信に対して、動的スペクトル管理を使用することを有し得る。動的スペクトル管理は、
電力スペクトル濃度（ＰＳＤ）伝送電力、および／または搬送波ビットロードなどのようにスペクトル配置の性質（図３に示すように、Ｇ．ｆａｓｔスペクトル１２１に対して周波数上におけるＰＳＤの濃度）を設定し得る。この動的スペクトル管理により、Ｇ．ｆａｓｔサービス１７１とＶＤＳＬ２サービス１７２との間の共存が可能となる。
【００５０】
動的スペクトル管理によるＮＥＸＴおよびＦＥＸＴの軽減は、いくつかのケースにおいて、後述するアイデアに基づいていてもよい。
【００５１】
動的スペクトル管理は、たとえば、第１伝送線１５１において比較的小さい第２のクロストーク１６２が発生し、かつ、第２伝送線１５２において比較的小さい第１のクロストーク１６１が発生する、ＮＥＸおよびＦＥＸが十分に低い重複スペクトル１２５における周波数を検出する。このように、第１伝送線１５１に関連付けられたノイズレベルを示したノイズレベル値、たとえば、対ノイズ信号比（ＳＮＲ）が決定される。ＳＮＲは、少なくとも第１のクロストーク１６１、すなわちＧ．ｆａｓｔサービス１７２に向かうＮＥＸＴおよびＦＥＸＴを有する。そして、第１伝送線１５１に関連付けられたノイズレベルを示す値に依存して、第１スペクトル１２１の動的スペクトル管理が使用され得る。
【００５２】
ＳＮＲは、Ｇ．ｆａｓｔ伝送線１５１に対して個々に決定され得る。すなわち、Ｇ．ｆａｓｔ伝送線１５１に対して特定のＳＮＲが決定され、ＶＤＳＬ２伝送線１５２に関連付けられたノイズと対照的なＳＮＲが決定され得る。異なるＧ．ｆａｓｔ伝送線１５１は、決定された異なるＳＮＲ値を有していてもよい。
【００５３】
動的スペクトル管理に従って、長い伝送線１５１に接続された無線通信機１０１，１１１は、たとえば、十分な範囲を得るために少なくとも重複スペクトル１５２の部分において自身の伝送電力を増加させることができる。一方、短い伝送線１５１に接続された無線通信機１０１，１１１は、たとえば、Ｇ．ｆａｓｔ伝送線１５１からＶＤＳＬ２伝送線１５２への第１のクロストーク１７１を減少させるために、重複スペクトル１５２において自身の伝送電力を減らすことができる（図３に示す：上位部分を中間部分と比較されたし）。図３において、電力スペクトル濃度（ＰＳＤ）は、周波数の関数としてプロットされる。当該ＰＳＤは通常、伝送電力に比例する。このように、第１スペクトル１２１の動的スペクトル管理は、Ｇ．ｆａｓｔ伝送線１５１に依存し得る。それゆえ、Ｇ．ｆａｓｔ伝送線１５１に関連付けられたノイズレベルが示す値は、Ｇ．ｆａｓｔ伝送線１５１の長さに依存して決定されることが可能となる。
【００５４】
通常、実際のケーブル伝送線１５１，１５２内で結合しているＮＥＸＴおよびＦＥＸＴのばらつきが高い結果、伝送線１５１，１５２のそれぞれに対して比較的低いクロストーク１６１，１６２を有する重複スペクトル１２５の一部分が存在する。Ｇ．ｆａｓｔ無線通信機１０１，１１１は、第１スペクトル１２１において配列される複数の周波数をスペクトル分解された、Ｇ．ｆａｓｔ伝送線１５１に関連付けられたノイズレベルが示す値を決定するように、構成される。ここで、異なる周波数は、異なるように扱われる。その際、たとえば、比較的低いクロストークと共に重複スペクトル１２５の一部分の外部（内部）に、低位（高位）のＧ．ｆａｓｔ伝送電力を設定することによって、スペクトル分解された動的スペクトル管理を使用することができるようになる。これにより、クロストーク低減の正確性が増加可能となる。
【００５５】
Ｇ．ｆａｓｔサービス１７１および／またはＶＤＳＬ２サービス１７１に従った通信サービスの質が低下することを回避するためのこのような対応策は、動的スペクトル管理の代わりにまたはこれに加えて、Ｇ．ｆａｓｔサービス１７１の特性を確実に設定することによってＧ．ｆａｓｔ伝送線１５１を介して通信を初期化するための特定のスタートアップシーケンスを用いることを有し得る。Ｇ．ｆａｓｔ伝送線１５１からの隣接クロストーク１６２が存在する間、ＶＤＳＬ２伝送線１５２の安定性を維持するために、Ｇ．ｆａｓｔサービス１７１のスタートアップシーケンスは、ＶＤＳＬ２伝送線１５２への第１のクロストーク１７１が、時間を超えて十分にゆっくりと変化するように、適用される。これにより、ＶＤＳＬ２サービス１７２は、これらクロストークの変化を付きとめることができ、不安定性およびサービスの低下がない状態で自身の通信設定を更新することができる。これにより、クロストーク低減の正確性が増加可能となる。
【００５６】
以下に、動的スペクトル管理を実現する技術を、後述する伝送モデルについてより詳細に説明する。以下では、伝送モデルの一例について説明する。
【００５７】
図４は、Ｇ．ｆａｓｔサービス１７１に従った第１データ１３１およびＶＤＳＬ２サービスに従った第２データ１３２のそれぞれを通信するために複数の搬送波１８１を用いた一例を示す。Ｇ．ｆａｓｔサービス１７１を、搬送波ｋ＝１，…，Ｋおよび搬送波１８１の数Ｋを用いたマルチ搬送波システムとして仮定する。マルチ搬送波システムを使用することにより、使用済みの周波数スペクトルのやや狭い部分ごとにおいて、伝送が構成されかつ調和される。
【００５８】
搬送波１８１のそれぞれは、電力ｘ（ｋ）を用いて送信する。搬送波全体の当該電力の総和は、一定値ｐｓｕｍに制限される。
【００５９】
【数１】
2016086419.tif 000003
【００６０】
さらに、各搬送波Ｋに対する個々の電力制限に変換する、次のように定義されるスペクトルマスク２０１がある。
【００６１】
【数２】
2016086419.tif 000004
【００６２】
ＶＤＳＬ２サービス１７２が、より低い周波数帯域１２２において割り当てられたより小さい状態の間隔で、搬送波１８２を使用する間、Ｇ．ｆａｓｔサービス１７１は、搬送波１８１のより大きい間隔で、より広い周波数帯域１２１を使用する。サービス１７１，１７２における各搬送波１８１のうち最大電力は、スペクトルマスク２０１により制限されている（図４における破線で示す）。
【００６３】
搬送波は、（マルチ搬送波システムによって使用された状態の間隔に等しい）帯域幅Δｆを有する。式（１）および（２）において分かるように、動的スペクトル管理は、たとえば搬送波１８１のさまざまな周波数に対して、スペクトル分解される。
【００６４】
１つの結束ケーブル１５５を共有する並列の伝送線ｌ＝１，…，Ｌ１５１，１５２が存在する。伝送線１５１，１６２の間に、クロストーク１６１，１６２が存在する。伝送線１５１，１５２のいくつかは、他の伝送線１５１，１５２がＶＤＳＬ２を使用する間、Ｇ．ｆａｓｔサービス１７１を使用する。ＶＤＳＬ２サービス１７２を使用するＶＤＳＬ２伝送線１５２
【００６５】
【数３】
2016086419.tif 000005
【００６６】
およびＧ．ｆａｓｔサービス１７１を使用するＧ．ｆａｓｔ伝送線１５１
【００６７】
【数４】
2016086419.tif 000006
【００６８】
が存在する。
【００６９】
重複スペクトル１２５により、相互クロストーク１６１，１６２が生じる。さらに、Ｇ．ｆａｓｔサービス１７１およびＶＤＳＬ２サービス１７２は、異なる２つの複信方式を使用し得る。ＶＤＳＬ２サービス１７２がＦＤＤを用いる間、Ｇ．ｆａｓｔサービスはＳ-ＴＤＤを用いる。これによって、サービス１７１，１７２の間にＮＥＸＴおよびＦＥＸＴ１６１，１６２が存在することが可能となる。ＶＤＳＬ２サービス１７１は、ＤＳ方向における電力スペクトルＰＳＤｄｓ（ｆ）、およびＵＳ方向における電力スペクトルＰＳＤｕｓ（ｆ）を伝送するためにＦＤＤを使用する。Ｇ．ｆａｓｔサービス１７１は、ｓ‐ＴＤＤを使用し、伝送フレームごとに伝送方向を裏返して、ＤＳ方向およびＵＳ方向において同じスペクトルを使用することができる。
【００７０】
ＶＤＳＬ２サービス１７２およびＧ．ｆａｓｔサービス１７１の両方は、ＶＤＳＬ２サービス１７２を使用する伝送線１５１，１５２のグループ内、およびＧ．ｆａｓｔサービス１７１を使用するグループ内のそれぞれにおいてクロストークを低減するために、自己ＦＥＸＴのキャンセルを適用し得る。しかしながら、この自己ＦＥＸＴのキャンセル技術では、通常は、ＶＤＳＬ２伝送線１５２とＧ．ｆａｓｔサービス伝送線１５１との間における相互ＦＥＸＴおよびＮＥＸＴのクロストーク１６１，１６２を低減することができない。
【００７１】
次に、いくつかのケースにおいて生じ得る相互クロストーク１６１，１６２およびノイズについて説明する。図５は、Ｇ．ｆａｓｔ伝送線１５１とＶＤＳＬ２伝送線１５２との間におけるクロストーク１６１，１６２の異なる結合経路を示す。たとえば、図５に示すクロストーク１６１，１６２は、無線通信機１０１、１０２、１１２が共通の場所に設置される場合、または共通でない場所に設置される図１Ｂまたは図１Ｃの接続形態において発生し得る。ＶＤＳＬ２伝送線１５２からＧ．ｆａｓｔ伝送線１５１への街路側ＮＥＸＴ１６０‐１は、通常、最も強力なクロストーク１６２であり、このことは、Ｇ．ｆａｓｔ無線通信機１０１が、ＤＰ（図１Ｃ参照）においてまたは街路側のキャビネット（図１Ｂ参照）において利用されるかどうかに関係なく、可能である。伝送線１５１，１５２（たとえば、ＤＰおよび街路側のキャビネットから伸びる伝送線）間にあるＦＥＸＴ結合１６０‐３は、通常、非常に弱く、ＣＰＥ側にあるＮＥＸＴ結合１６０‐２についても同様である。
【００７２】
通常、Ｇ．ｆａｓｔサ−ビス１７１の伝送電力は、ＶＤＳＬ２サービス１７２の伝送電力よりも非常に低位である。たとえば、Ｇ．ｆａｓｔサービス１７１のために、６０ｄＢのＳＮＲに対応している伝送電力が選択され得る。その結果、Ｇ．ｆａｓｔ伝送線１５１からＶＤＳＬ２伝送線１５２への第１のクロストーク１６１が、通常、重複スペクトル１２５において、ＶＤＳＬ２伝送線１５２からＧ．ｆａｓｔ伝送線１５１への第２のクロストーク１６２よりも低くなる。
【００７３】
【表１】
2016086419.tif 000007
【００７４】
表１には、たとえば、Ｇ．ｆａｓｔ無線通信機１０１がＶＤＳＬ２無線通信機１０２と共に共通の場所に配置されている図５のケースにおけるクロストーク１６１，１６２が要約される。表１には、妨害の強さに関する指標が示される。この要約は、Ｇ．ｆａｓｔサービス１７１伝送レベルが、ＶＤＳＬ２サービス１７２の伝送レベルよりも少なくとも１５ｄＢ低いという実用的な場合について示す。それから、ＶＤＳＬ２キャビネットＤＳ信号からＧ．ｆａｓｔＤＰ受信機１０１へのＮＥＸＴ１６１であるクリティカル経路が存在する。
【００７５】
ＶＤＳＬ２伝送線１５２からＧ．ｆａｓｔ伝送線１５１へのＮＥＸＴクロストーク１６１ＨＮＥＸＴｄｐｉｊ（ｆ）がＤＰ側に存在し、これは比較的強い。さらに、ＶＤＳＬ２伝送線１５２とＧ．ｆａｓｔ伝送線１５１との間におけるＮＥＸＴクロストーク１６１が、ＣＰＥ側ＨＮＥＸＴｃｐｅｉｊ（ｆ）に存在し、これは比較的弱い。なぜなら、ＣＰＥ側の無線通信機１１１、１１２は、同じ場所に配置されていないためである。それから、ＶＤＳＬ２伝送線１５２からＧ．ｆａｓｔ伝送線１５１へのＦＥＸＴクロストーク１６２がＤＳ方向ＨＦＥＸＴｄｓｉｊ（ｆ）に存在し、ＨＦＥＸＴｕｓｉｊ（ｆ）がＵＳ方向に存在する。これらは、ＮＥＸＴ結合よりも弱く分類される。
【００７６】
Ｇ．ｆａｓｔ受信機１０１，１１１のそれぞれにおいて、ノイズ電力σ２と共にバックグラウンドノイズも存在する。
【００７７】
なお、ＣＰＥ側のＧ．ｆａｓｔ受信機１１１において、ＶＤＳＬ２線からの他のＦＥＸＴが発生する。
【００７８】
Ｇ．ｆａｓｔ伝送線１５１
【００７９】
【数５】
2016086419.tif 000008
【００８０】
における搬送波ｋ１８１に対するＤＳ他のＦＥＸＴ１６１は、
【００８１】
【数６】
2016086419.tif 000009
【００８２】
により与えられる。
【００８３】
Ｇ．ｆａｓｔサービス１７１ＤＳ通信においても、ＶＤＳＬ２伝送線１５２を介したＵＳ通信からのＮＥＸＴ１６１（たとえばＣＰＥ無線通信機１１２からのＮＥＸＴ１６１）が発生する：
【００８４】
【数７】
2016086419.tif 000010
【００８５】
Ｇ．ｆａｓｔサービス１７１のＵＳ通信において、ＵＳでは、ＶＤＳＬ２伝送線１５２からのＦＥＸＴ１６１（たとえばＣＰＥ無線通信機１１２からのＦＥＸＴ１６１）が発生し：
【００８６】
【数８】
2016086419.tif 000011
【００８７】
かつ、Ｇ．ｆａｓｔＵＳ無線通信機１０１（通常、最も強いクロストークの構成要素）において、ＶＤＳＬ２伝送線１５２からのＮＥＸＴ１６１が発生する：
【００８８】
【数９】
2016086419.tif 000012
【００８９】
同じサービス１７１，１７２のものである伝送線１５１，１５２から生じる自己ＦＥＸＴ、すなわち、ＶＤＳＬ２対ＶＤＳＬ２およびＧ．ｆａｓｔ対Ｇ．ｆａｓｔは、ＶＤＳＬ２サービス１７２およびＧ．ｆａｓｔサービス１７１の両方によって使用されたクロストークが取り消されることによって補償されると仮定される。Ｇ．ｆａｓｔサービス１７１における自己ＮＥＸＴおよびＶＤＳＬ２サービス１７２における自己ＮＥＸＴは、選択される結合方法（すなわち、Ｇ．ｆａｓｔサービス１７１に対するｓ‐ＴＤＤおよびＶＤＳＬ２サービス１７２に対するＦＤＤ）のために生じることはない。
【００９０】
いくつかの実施形態では、動的スペクトル管理が使用される。動的スペクトル管理は、式（３）〜（６）によって示されるように、少なくとも第１のクロストーク１６１を有するノイズレベルに基づくことが可能である。動的スペクトル管理は、Ｇ．ｆａｓｔ／ＶＤＳＬ２の混合システムにおいて、隣接クロストーク１６１の低減を可能にする。
【００９１】
詳細には、Ｇ．ｆａｓｔ伝送線１５１に関連付けられたノイズレベルが示す値のように、Ｇ．ｆａｓｔ受信機１０１，１１１は、受信機１０１，１１１自身のノイズフロアおよび隣接クロストーク１６１を有するバックグラウンドノイズを計測することができる。他のＧ．ｆａｓｔ伝送線１５１からの自身のクロストークは、補償されると共に、このようにしてノイズ計測において反映されない。Ｇ．ｆａｓｔＣＰＥ受信機１１１のための利得であるＤＳバックグラウンドノイズは、搬送波ｋ１８１および伝送線ｌ１５１に対して、
【００９２】
【数１０】
2016086419.tif 000013
【００９３】
により与えられる。この式は、受信機のノイズσ２、隣接ＮＥＸＴ
【００９４】
【数１１】
2016086419.tif 000014
【００９５】
１６１および、ＶＤＳＬ２伝送線１５２からの隣接ＦＥＸＴ
【００９６】
【数１２】
2016086419.tif 000015
【００９７】
１６１である３つの要素を有する。同様に、ＵＳバックグラウンドノイズは、
【００９８】
【数１３】
2016086419.tif 000016
【００９９】
によって与えられる。
【０１００】
式（７）および（８）によって与えられるように、ノイズレベルの示す値は、動的スペクトル管理によって使用されることが可能である。
【０１０１】
まず、電力制限および伝送能力について、図６Ａを参照しながら説明する。動的スペクトル管理を使用することは、複数の搬送波１８１のそれぞれのために、Ｇ．ｆａｓｔ伝送線１５１に関連付けられた定義済みノイズレベルに依存すること、Ｇ．ｆａｓｔ伝送線１５１上で伝送する伝送電力を選択することを有する。
【０１０２】
単独またはいくつかの組み合わせが適用され得る、伝送電力を選択するさまざまな技術が考えられる。たとえば、低い周波数において、より長い線路長のために、伝送電力は、ほどよいデータ速度に達する電力と同じくらいの高さであり得る。低い周波数の重複スペクトル１２５のある部分２２１は、式（７）および（８）に示すように、定義済みＳＮＲによって示されるような他の高いクロストーク１６１，１６２のために、減少され得る。バックグラウンドノイズは高い可能性があるため、高い周波数は、使用され得ない。たとえば、ノイズに対する信号の割合をより高くする搬送波１８１に対して、伝送電力は、性能の衝撃がない状態で減少されることが可能である。このために、スペクトルのマスク２０１が用いられ得る。関心の電力制限は、式（１）に記述される一線における総和電力であり得るし、式（２）に示すような（図６Ａにおける破線によって示される）スペクトルマスク２０１であり得る。動的スペクトル管理にとって、スペクトルマスクｐマスク２０１は、送信機を最大の使用可能なＳＮＲの機能に修正され得る。
【０１０３】
いくつかのケースでは、第１データ１３１は、複数の搬送波１８１を用いたＧ．ｆａｓｔ伝送線１５１を介して通信され得る。動的スペクトル管理を使用することは、複数の搬送波１８１それぞれに対して、Ｇ．ｆａｓｔ伝送線１５１のノイズレベルを示す所定の値に依存すること、および、上述のようなＧ．ｆａｓｔ伝送線１５１を介した通信から、割り当てられたビット数をそれぞれ選択することを有し得る。これは、搬送波ごとのビットローディングに相当し得る。一つの搬送波１８１を超えて伝送されるビット数は、通常、変調アルファベットの最大サイズのために制限される。ＶＤＳＬ２サービス１７２では、搬送波１８１ごとに最大１５ビットがロードされることが可能である。Ｇ．ｆａｓｔサービス１７１では、搬送波１８１ごとに最大１２ビットである。搬送波１８１においてロードされるビット数は、Ｇ．ｆａｓｔ伝送線１５１に関連付けられたＳＮＲに関して選択される。後者は、データ伝送のために超える理由を持たないＳＮＲの最大値があることを意味する。搬送波１１８のＳＮＲが最大ＳＮＲを超える場合、データ速度は増加されることができない。動的スペクトル管理に対して、これは、最適化に関するＳＮＲ上においてキャップがあることを意味する。より高いＳＮＲに到達する搬送波１８１では、伝送電力は、性能の衝撃がない状態で、減少されることが可能である。動的スペクトル管理に対しては、伝送電力は、第２の一線ごとの伝送電力制限Ｐｂｍａｘ２０１に変換される。
【０１０４】
【数１４】
2016086419.tif 000017
【０１０５】
たとえば、スペクトルマスク２０１を決定するために、式（２）および（９）の２つの電力制限の最小値が、搬送波１８１ごとに選択され得る。
【０１０６】
いくつかのケースでは、上述した、Ｇ．ｆａｓｔ伝送線１５１上で伝送される伝送電力の選択は、注水アルゴリズムに依存する。注水アルゴリズムに関する各種の局面を図６Ｂに示す。
【０１０７】
注水アルゴリズムは、伝送電力の割り当て量の決定に使用される。注水アルゴリズムの原理については、W. Yu, W. Rhee, S. Boyd, and J.M. Cioffi. Iterative water-filling for Gaussian vector multiple-access channels. Information Theory, IEEE Transactions on, 50(1):145-152, 2004を参照のこと。
【０１０８】
注水アルゴリズムでは、搬送波１８１の３つの群が同一視される。ゼロ伝送電力
【０１０９】
【数１５】
2016086419.tif 000018
【０１１０】
を有する搬送波１８１、スペクトルマスク２０１
【０１１１】
【数１６】
2016086419.tif 000019
【０１１２】
によって制限される搬送波１８１、実際の伝送電力が注水アルゴリズムにより決定される１本における総和電力
【０１１３】
【数１７】
2016086419.tif 000020
【０１１４】
によって制限される搬送波１８１がある。それゆえ、一線ごとの総和電力は、複数の搬送波１８１をまたがった整数の上位閾値を表す。
【０１１５】
さらに、
【０１１６】
【数１８】
2016086419.tif 000021
【０１１７】
によって与えられる水面μ２２９（図６Ｂ参照）がある。ここで、｜IIｗｆ｜は、総和電力により制限される搬送波１８１の個数である。式（１０）において、下流の向きでは下流ノイズｐノイズ ｄｓが使用され、上流の向きでは上流ノイズが使用される。
【０１１８】
搬送波ｋ１８１に対する実際の伝送電力は、それから
【０１１９】
【数１９】
2016086419.tif 000022
【０１２０】
によって決定される。
【０１２１】
搬送波１８１は、ノイズがレベルμよりも高い場合には、注水群からゼロ群へ移動し、算出された伝送電力がマスク２０１よりも高い場合には、マスク制限セットに移動する。
【０１２２】
図６Ａおよび６Ｂのケースにおいて、中間長のＧ．ｆａｓｔ伝送線１５１に関してさまざまな例が開示されているが、同様の技術は、長いまたは短いＧ．ｆａｓｔ伝送線１５１に容易に用いられることも可能である。
【０１２３】
次に、図７に関して、電力バックオフについて説明する。電力バックオフの過程は、図６Ａおよび６Ｂのケースに関して開示した技術の代わりに、または当該技術に加えて、適用され得る。
【０１２４】
電力バックオフは、特に、短い伝送線１５１に対して用いられ得る。いくつかのケースでは、電力バックオフ技術は、Ｇ．ｆａｓｔのために使用される。電力バックオフ技術は、重複スペクトル１２５内のＵＳ方向と同様にＤＳ方向においても使用され得る。電力バックオフは、主に、ＵＳ  ＶＤＳＬ２サービス１７２を保護し、ＤＳ  ＶＤＳＬ２サービス１７２も保護する。ある例において、電力バックオフは、Ｇ．ｆａｓｔサービス１７１上のみで実行される。電力バックオフは、ＶＤＳＬ２サービス１７２のために実行されることはない。このことにより、既存のＶＤＳＬ２サービス１７２との逆方向における適合が可能となる。
【０１２５】
図７は、線路長が短いＧ．ｆａｓｔ伝送線１５１について、伝送スペクトルの例を示す。重複スペクトル１２５内の下位の周波数において、Ｇ．ｆａｓｔ伝送線１５１上で伝送する伝送電力は、ＶＤＳＬ２伝送線１５１を保護するために、減少される。より高い周波数は、ＳＮＲが十分に高いため、データ伝送のために使用されることが可能である。伝送電力の減少は、電力バックオフ２２５を供給する電力バックオフ過程により実現されている。電力バックオフ２２５は、伝送電力の上位閾値を設定する。電力バックオフ２２５は、Ｇ．ｆａｓｔ伝送線１５１の線路長に依存して決定され得る。Ｇ．ｆａｓｔ伝送線１５１に関連付けられたノイズレベルを示す値は、Ｇ．ｆａｓｔ伝送線１５１の長さに依存して決定され得る。いくつかのケースでは、Ｇ．ｆａｓｔ伝送線１５１に関連付けられたノイズレベルを示す値は、Ｇ．ｆａｓｔ伝送線１５１の線路長に比例し得る。ここで、電力バックオフ２２５により与えられる上位の閾値は、Ｇ．ｆａｓｔ伝送線１５１に関連付けられたノイズレベルを示す値に基づいて決定され得る。たとえば、電力バックオフ２２５は、バックグラウンドノイズから独立していてもよい。電力バックオフ２２５は、Ｇ．ｆａｓｔ伝送線１５１および／またはＶＤＳＬ２伝送線１５２の線路長に関する情報、および／またはＶＤＳＬ２スペクトル１２２に関する情報から、導出され得る。
【０１２６】
開示された電力バックオフ機構は、ＶＤＳＬ２伝送線１５２の保護と、より長いＧ．ｆａｓｔ伝送線１５１に対してデータ速度の最適化とのバランスをとるように、見られ得る。それゆえ、より多くの電力バックオフ２２５が、Ｇ．ｆａｓｔ伝送線１５１（図７参照）においてより短い線路長に適用され、一方、長い線路長に対しては、電力バックオフ２２５（図６Ａおよび６Ｂ参照）は、なくてよいかまたは重要でなくてよい。より短いＧ．ｆａｓｔ線は、加入者サービスのために要求される容量を超えた容量を有していてもよい。
【０１２７】
以下に、電力バックオフ２２５に関係する量的な例を示す。最大の長さｄバックオフよりも長いＧ．ｆａｓｔ伝送線１５１に対して、バックオフ２２５は、０ｄＢであり得る。より短いＧ．ｆａｓｔ伝送線１５１に対しては、妨害線路の周波数および線路長ｄに依存する電力バックオフマスクｐバックオフ（ｆ，ｄ）があり得る。
【０１２８】
ある例では、平坦なバックオフマスクが、ｄＢにおいて、バックオフの一定の最大値ｐｂｏｍａｘ２２５である。
【０１２９】
【数２０】
2016086419.tif 000023
【０１３０】
ｄバックオフは、電力バクオフが適用され得るＧ．ｆａｓｔ伝送線１５１の長さの閾値を意味する。この種の電力バックオフは、ＵＳに対しても使用されるだけでなく、ｐｂｏｍａｘの異なる値と共に使用される。ＵＳにおける電力バックオフにより、無線通信機１１１のＧ．ｆａｓｔＣＰＥから無線通信機１１２のＶＤＳＬ２ＣＰＥへの相互上流のＦＥＸＴおよびＮＥＸＴクロストーク１６２を減少させることが可能となる。
【０１３１】
ｐマスクからの実際の電力制限は、それから２つの要素から成る。一方の要素は、規則ｐ規則（ｆ）によって定義される絶対的マスク、たとえば、ＩＴＵ−Ｇ９７００規格によって制約される電力制限であり、他方の要素は、
【０１３２】
【数２１】
2016086419.tif 000024
【０１３３】
によって規定される相対的バックオフ値ｐバックオフ（ｆ，ｄ）である。
【０１３４】
Ｇ．ｆａｓｔサービス１７１の届く範囲およびデータ速度を増加させるために用いられるスペクトル管理の代わりにまたは当該スペクトル管理に加えて、Ｇ．ｆａｓｔ通信の安定性を維持するために、Ｇ．ｆａｓｔ伝送線１５１に対して修正されたスタートアップシーケンスが用いられ得る。スタートアップシーケンスにより、いくつかの実施形態において、伝送パラメータを最適化する適切なシステムパラメータを計測することが可能であり得る。図８にスタートアップシーケンスの一態様を示す。
【０１３５】
ベクトル化可能な有線通信のスタートアップシーケンス（たとえば、Ｇ．ｆａｓｔサービス１７１によるスタートアップシーケンス）は、後述する工程のすべて、または後述する工程のいくつかを有し得る。当該工程は、異なるように配列され得るし、拡張または縮小され得る。
【０１３６】
１００１〜１００６は、Ｇ．ｆａｓｔ伝送線１５１を介して高位レイヤデータ１３１を通信することよりも前に実行されるスタートアップシーケンス１２０１に対応する。それから、表示時間１２０２が実行され、高位レイヤデータ１３１がＧ．ｆａｓｔ伝送線１５１を介して通信される。１２０１および１２０２の両方の間、ＶＤＳＬ２伝送線１５２を介した通信は、表示時間において機能することが可能である。たとえば、高位レイヤデータ１３２がＶＤＳＬ２伝送線１５２を介して伝送されることが可能である。
【０１３７】
１００１：ハンドシェイク：使用されるサービス（たとえば、Ｇ．ｆａｓｔサービス１７１に対してのＧ９９４．１ハンドシェイク）を識別する。
【０１３８】
１００２：時間回復。クロックとシンボル周波数との差は、減少され得る。ループタイミング検知および回復、送信機および受信機を同期させる。
【０１３９】
１００３：他のＧ．ｆａｓｔ伝送線１５１に対するクロストークのキャンセル。すなわち、自己クロストークは減少されることが可能である。ここで、自己ＦＥＸＴチャンネルは、測定されかつ取り消されることが可能である。
【０１４０】
１００４：Ｇ．ｆａｓｔ伝送線１５１を介した通信が訓練される。伝送パラメータが設定される。
【０１４１】
１００５：他の線からのクロストーク１６２の測定。詳細は後述する。
【０１４２】
１００６：リンクトレーニングおよび動的スペクトル最適化。ここで、伝送パラメータが設定されることが可能である。これは、一組の使用された副搬送波および伝送電力を設定することに影響し得る。
【０１４３】
１００７：表示時間開始が実行される。これは、データ通信を容易にするために、上位のサブレイヤの交換能力およびネゴシエーションパラメータを含む。そして、高位レイヤ重み付けデータにおけるデータ伝送が行われる場合に、表示時間１２０２が開始される。ここで、重複スペクトル１２５における保存電力が使用される。
【０１４４】
ＶＤＳＬ２サービス１７２と共存するサポートでは、ある実施形態におけるＧ．ｆａｓｔサービス１７１は、ＶＤＳＬ２伝送線１５２を介した高位レイヤデータ１３２の通信が、Ｇ．ｆａｓｔ伝送線１５１からの減少クロストークが発生し、上述した減少クロストークは、第２のクロストーク１６２よりも縮小されるように、保護モードにおいて初期化する。このように、スタートアップシーケンスの間、保護モードは、作動され得る。保護モードは、ＶＤＳＬ２伝送線１５２へのクロストークに対して、さまざまな対抗策を有し得る。たとえば、当該対抗策は、伝送電力を減らすこと、ビットローディングを減らすこと、重複スペクトル１２５内において伝送電力を減らすこと、重複スペクトル１２５内においてビットローディングを減らすことなどである。
【０１４５】
たとえば、トレーニング期間１２０１の間、Ｇ．ｆａｓｔ伝送線１５１上で伝送するための伝送電力は、定義済み下位閾値に設定され得る。たとえば、定義済み下位閾値は、０であり得る。たとえば、伝送の保護モードにおいて、Ｇ．ｆａｓｔスペクトル１２１の重複していない部分のみが使用され得る。ある例では、Ｇ．ｆａｓｔ伝送線１５１上で伝送するために（たとえば監視することを目的として）、重複スペクトル１２５内において、低い保存伝送電力を適用することも可能である。たとえば、Ｇ．ｆａｓｔ伝送線１５１上で伝送するための伝送電力は、ＶＤＳＬ２スペクトル１２２においては０電力を、ＶＤＳＬ２スペクトル１２２上のスペクトルにおいては標準伝送電力を使用してもよい。たとえば、１００２、１００３および／または１００４は、重複スペクトル１２５の外部で実行され得る。ｋΔｆ≦ｆｍａｘ 旧式である搬送波ｋに対して、スペクトルマスク２０１は実質的に、制限ｐｍａｘ トレーニングにまたはそれより少なく減少される。
【０１４６】
次に、工程１００５に関して隣接クロストークの測定の詳細について説明する。いくつかの実施形態において、ＶＤＳＬ２伝送線１５２から各Ｇ．ｆａｓｔ伝送線１５１へのＮＥＸＴおよびＦＥＸＴクロストーク１６１が評価される。重複スペクトル１２５において、Ｇ．ｆａｓｔ伝送線１５１からの自己ＦＥＸＴは、存在し得る。なぜなら、上述したように、１００３では、自己ＦＥＸＴの取り消しの品質を落とす可能性のある重複スペクトル１２５において、クロストークの取り消しを訓練するために、Ｇ．ｆａｓｔ伝送線１５１は、予め決められた下位閾値において減少された伝送電力を使用し得るからである。
【０１４７】
以下に、他のＧ．ｆａｓｔ伝送線１５１からの自己ＦＥＸＴの存在時の計測を可能にする技術を開示する。このために、トレーニング期間１２０１の間、トレーニングデータが、重複スペクトル１２５においてかつＧ．ｆａｓｔ伝送線１５１を介して通信されることが可能である。上記のトレーニングデータの通信に基づいて、Ｇ．ｆａｓｔ伝送線１５１に関連付けられたノイズレベルを示す値（すなわちＳＮＲ）が決定され得る。特に、第１のクロストーク１６１が決定され得る。
【０１４８】
ＳＮＲ測定は、測定から自己ＦＥＸＴをキャンセルする直交コードまたはトレーニングデータを用いて行われ得る。直交コード化されたトレーニングデータは、Ｇ．ｆａｓｔサービス内のチャンネル推定のために使用される。直交コードが数ＴシンボルＴを含むと仮定すれば、それは、＋１、−１および０の値を有する。シーケンスはｋ回繰り返される。伝送線ｌでは、シーケンス
【０１４９】
【数２２】
2016086419.tif 000025
【０１５０】
は、時間ｔにおいて伝送される。受信機は、伝送された信号と同様の範囲内になるように調整されるシンボル
【０１５１】
【数２３】
2016086419.tif 000026
【０１５２】
を受信する。受信機エラーｅは、
【０１５３】
【数２４】
2016086419.tif 000027
【０１５４】
によって定義される。
【０１５５】
【数２５】
2016086419.tif 000028
【０１５６】
に従ってｋシーケンスを超えて平均化することに基づいた隣接クロストークの分散ｐノイズ。
【０１５７】
この方法は、他のＧ．ｆａｓｔ線からの自己ＦＥＸＴを相殺する一方、隣接クロストークおよびバックグラウンドノイズを維持する。
【０１５８】
１００５におけるＳＮＲの測定の代わりにまたは追加して、クワイエット位相が実行され得る。ここで、Ｇ．ｆａｓｔ送信機１０１および１１１のいずれもデータを伝送しなくてもよく、受信機１０１および１１１が他のノイズを計測してもよい。この計測を容易にするために、一実施形態において、Ｇ．ｆａｓｔスタートアップシーケンス１２０１の間伝送データシンボルの数が制限され、伝送時間の一切が使用されない。また、同時に、ほとんどのシンボル位置が、アクティブ状態にあるすべてのＧ．ｆａｓｔ伝送線１５１において、伝送から一時的に解放されない。このように形成された一時的な伝送時間の差において、バックグラウンドノイズは、効果的に測定される。
【０１５９】
重複スペクトル１２５における伝送電力は、表示時間１２０２の間、たとえば１００８、１００９、１０１０によってさらに最適化されることが可能である。たとえば、表示時間１２０２が開始された後、１００８〜１０１０において、伝送電力の最適化が実行され得る。ある例では、重複スペクトル１２５におけるＧ．ｆａｓｔ伝送線１５１を介したＧ．ｆａｓｔ伝送のための伝送電力は、たとえば、オンラインで再構成された方法を用いて、徐々に増加してもよいし、または上昇してもよい。このように、追加の容量が与えられ、Ｇ．ｆａｓｔビットレートが増加する。
【０１６０】
１００８〜１０１０を実行する間、表示時間電力調整手順は、ＶＤＳＬ２伝送線１５２を介      して通信するためにＶＤＳＬ２サービス１７１に適用される。この表示時間電力の調整順序は、ＶＤＳＬ２スペクトル１２２での伝送電力の値を増加させてもよい。
【０１６１】
Ｇ．ｆａｓｔスペクトル１２１のかなりの電力増加によるノイズ環境の突然変化によって、ＶＤＳＬ２伝送線１５２のビットエラーおよびリンクドロップが引き起こされる。このことを避けるために、Ｇ．ｆａｓｔ伝送電力は、十分な性能に達するまでの間、（少なくとも重複スペクトル１２５において）段階的に増加される（１０１０）。制限値ｐトレーニング（ｆ，ｔ）は、元の制限マスクｐマスクに達するまでの間、段階的に増加される。
【０１６２】
各アップデート工程の後、以前のサービスを新しいノイズ環境に適合させるために、待機時間が必要となる（１００８）。電力アップデートは、Ｇ．ｆａｓｔ伝送線１５１の送信機１０１と１１１との間（たとえば、街路側のキャビネットまたはＤＰからＣＰＥまでの間）で通信され得る。電力アップデートは、ＵＳおよびＤＳ伝送のために実行され得る。
【０１６３】
１０１０にて伝送電力を適切に設定するために、１００５の隣接クロストーク測定が１００９において繰り返され得る。１００９における表示時間の間、隣接クロストークを測定する技術と異なる技術を用いることも可能である。たとえば、特定のトレーニングシンボルが定義されてもよく、また、クワイエット位相が実装され得る。ここで、遠端の送信機１１１はクワイエットであってもよく、また、受信機１０１は、伝送線１５１上の残りの信号を測定してもよい。代わりにまたは追加で、受信機１０１は、エラー修正後と解読（エラー受信）後とにおける受信信号および受信配列ポイントの差を算出し得る。式（１４）に示すように、二乗された受信エラーを超える平均が実現可能となる。また、１０１０において、Ｇ．ｆａｓｔ伝送線１５１の搬送波１８１ごとのビットローディングが調整され得る。
【０１６４】
伝送電力が徐々に増加することは、
【０１６５】
【数２６】
2016086419.tif 000029
【０１６６】
によって表され得る。
【０１６７】
この追加ＰＳＤアップデートツールを用いて、最終制限マスクが、
【０１６８】
【数２７】
2016086419.tif 000030
【０１６９】
によって与えられる。
【０１７０】
次に、Ｇ．ｆａｓｔおよびＶＤＳＬ２のための、いくつかの実施形態に係る中央管理について、説明する。いくつかの配置のケースでは、Ｇ．ｆａｓｔおよびＶＤＳＬ２サービスは、同じ街路側のキャビネットから提供される（図１Ｂ参照）。それゆえ、Ｇ．ｆａｓｔ伝送線１５１とＶＤＳＬ２伝送線１５２との間の協調が可能となる。いくつかの実施形態では、図８に示すように、拡張されたスタートアップシーケンス１２０１が用いられ得る。いくつかの例では、Ｇ．ｆａｓｔ通信を初期化する前に、Ｇ．ｆａｓｔサービス１７１は、Ｇ．ｆａｓｔ伝送線１５１およびＶＤＳＬ２線１５２からの第２のクロストーク１６２を推定する。このため、Ｇ．ｆａｓｔ表示時間１２０２の前に、Ｇ．ｆａｓｔＤＳ送信機１０１は、ＶＤＳＬ２の同期シンボルの伝送を開始する。たとえば、ＶＤＳＬ２同期シンボルは、重複スペクトル１２５におけるＶＤＳＬ２に関連した搬送波１８１のすべて、または、重複スペクトル１２５のある一部分における搬送波１８１のみのいずれか一方を使用する適正なパイロットシーケンスによって、変調され得る。一実施では、保護モード内で使用するＧ．ｆａｓｔスタートアップシーケンス１２０１が用いられる。ここで、少数の初期化信号のみが、重複スペクトル１２５において通信される。これらは、旧来のＶＤＳＬ２伝送線１５１にＧ．ｆａｓｔ伝送線１５１からＶＤＳＬ２伝送線１５２への第２のクロストーク１６２を推定することを可能とさせる信号Ｏ−Ｐ−ＶＥＣＴＯＲ１を有し得る。これらの初期化信号を超えた遠くの信号はＧ．ｆａｓｔ伝送線１５１を介して重複スペクトル１２５内で通信されないということが可能であり得る。さらに、ＶＤＳＬ２初期化の将来の段階が可能であれば、Ｇ．ｆａｓｔＵＳ送信機１０１は、上記同様の動作を実行してもよく、たとえば、適正なパイロットシーケンスによって変調されたＶＤＳＬ２同期信号を伝送してもよい。
【０１７１】
以上のように、このような技術に基づいて、第２伝送線１５２に関連付けられると共に少なくとも第２のクロストーク１６２を有するノイズレベルを決定することが可能である。この値は、送信機１０１および１１１に伝えられ得る。たとえば、ＶＤＳＬ２管理システムが、Ｇ．ｆａｓｔ伝送線１５１を初期化することに利用可能なこの測定クロストーク１６２を伝える。Ｇ．ｆａｓｔ伝送線１５１は、ＵＳおよび／またはＤＳにおけるＧ．ｆａｓｔ線１５１上で伝送するための初期の伝送電力を設定する、すなわち、定義済み低位閾値を設定するために、測定クロストーク１６２の値を使用する。その結果、定義済み低位閾値は、Ｇ．ｆａｓｔ伝送線１５１とＶＤＳＬ２伝送線１５２との間の共存に適しているものとして、決定されることが可能となる。
【０１７２】
このような技術の代わりに、またはこのような技術に追加して、定義済み低位閾値は、比較的低いレベルに設定されてもよく、また、設定後に複数の工程を使用して引き上げられてもよい。
【０１７３】
次に、新式のＧ．ｆａｓｔ伝送線１５１をベクトル化群に追加することについて説明する。
【０１７４】
中央管理を用いたシステムでは、ＶＤＳＬ２伝送線１５２をＧ．ｆａｓｔ伝送線１５２のスタートアップ時に対して頑強にする追加技術が考えられる。Ｇ．ｆａｓｔ伝送線１５１は、重複スペクトル１２５では高位伝送電力を用いてスタートアップシーケンス１２０１を初期化してもよい。しかしながら、ＶＤＳＬ２伝送線１５２は、Ｇ．ｆａｓｔ伝送線１５１の開始に先立って適用される、表示時間に適応性のある仮想ノイズ（ＳＡＶＮ）を追加することにより、Ｇ．ｆａｓｔ伝送線１５２からの第２のクロストーク１６２に対して頑強に形成されている。このような場合、比較的高い定義済み下位閾値が選択され得る。
【０１７５】
ＶＤＳＬ２伝送線１５２は、連続している処理からのクロストーク１６２に対して保護されるように、適応性のある仮想ノイズに従って自身のデータレートおよび利得を更新する。トレーニングが終了した後、適応性のある仮想ノイズは、ＶＤＳＬ２伝送線１５２の十分な性能を有するように、減少されることが可能である。
【０１７６】
次に、新式のＶＤＳＬ２伝送線１５２をベクトル化群に追加することについて説明する。
【０１７７】
新規のＶＤＳＬ２伝送線１５２が追加される場合、Ｇ．ｆａｓｔ伝送線１５１に極端な第１のクロストーク１６１が生成され得る。さらに、新規のＶＤＳＬ２伝送線１５２の性能は、Ｇ．ｆａｓｔ伝送線１５１からの隣接クロストーク１６１が存在するため、制限され得る。Ｇ．ｆａｓｔ伝送線１５１の上述した不安定性を回避するために、特別のノイズマージンがＧ．ｆａｓｔ伝送線１５１に適用され得る。しかしながら、これによりＧ．ｆａｓｔの全般性能が低下し得る。その代わりにまたは追加で、Ｇ．ｆａｓｔ伝送線１５１は、重複スペクトル１２５を超えたビットローディングが同様に保守的となるように、ＳＡＶＮを一時的に更新することができる。また、これにより、重複スペクトル１５１におけるＧ．ｆａｓｔ伝送線１５１上の通信の伝送電力の減少に結びつけられ得る。新規のＶＤＳＬ２伝送線１５２が初期化された後、１００８〜１０１０に従って最適化された上述の共通の伝送電力は、重複スペクトル１２５内のＧ．ｆａｓｔ伝送線１５１の伝送電力およびビットローディングを段階的に増加するために、使用され得る。
【０１７８】
図９は、さまざまな実施形態に係る方法を示す図である。
【０１７９】
１１０１では、第１伝送線１５１（たとえば、Ｇ．ｆａｓｔ伝送線）を介した通信が、実行される。
【０１８０】
１１０２では、第２伝送線１５２（たとえば、ＶＤＳＬ２伝送線）を介した通信が、実行される。１１０１および１１０２は、並行して実行され得るし、両者とも重複スペクトル１２５を占有する。
【０１８１】
要約すると、重複スペクトルにおいて通信するためのＦＤＤ複信方式とＴＤＤ複信方式との間の共存の技術が説明されている。いくつかの実施形態において、動的スペクトル管理に従って具体化された伝送電力は、クロストークを軽減する。いくつかの実施形態において、電力が減少されたスタートアップシーケンスは、クロストークを軽減する。
【０１８２】
このような技術は、特に、Ｇ．ｆａｓｔおよびＶＤＳＬ２のデータ伝送のために使用されることができる。ＶＤＳＬ２伝送線からＧ．ｆａｓｔ伝送線へのクロストークは、重複スペクトルにおける個々の妨害ＶＤＳＬ２伝送線に対して個別に評価され得る。特に、妨害線路の線路長が考慮され得る。その代わりにまたは追加で、Ｇ．ｆａｓｔ伝送線からＶＤＳＬ２伝送線へのクロストークは、ＶＤＳＬ２同期シンボルの伝送を含むと共に適合されたＧ．ｆａｓｔスタートアップシーケンスを使用して、評価され得る。
【０１８３】
Ｇ．ｆａｓｔのスタートアッププロコトルは、ＶＤＳＬ２伝送線からの隣接クロストークを決定するためのクロストーク推定工程によって、補完され得る。Ｇ．ｆａｓｔのスタートアッププロコトルは、保護モードを使用し得る。ここで、重複スペクトルにおける伝送電力は、ＶＤＳＬ２伝送線の不安定さを避けるために、減少するかまたはゼロに設定され得る。Ｇ．ｆａｓｔスタートアップの間、ＶＤＳＬ２へのフォールバックが用いられ得る。ここで、ＶＤＳＬ２同期シンボルは、Ｇ．ｆａｓｔ伝送線を介して通信され得る。これにより、Ｇ．ｆａｓｔ伝送線からＶＤＳＬ２伝送線へのクロストークを決定することが可能となる。新規のＶＤＳＬ２伝送線または新規のＧ．ｆａｓｔ伝送線の初期化の間、ＳＡＶＮが現在の伝送線に適用され得る。
【０１８４】
その後、表示時間の間、重複スペクトル内のＧ．ｆａｓｔ伝送線上で伝送するための伝送電力は、たとえば段階的に増加される。ここで、長さに依存した電力バックオフは、ＶＤＳＬ２伝送線を保護するために実行され得る。
【０１８５】
好ましい実施形態に関して、本発明を示すと共に説明したが、明細書を読み理解した当業者は、それと同等のものおよび変形のものを考えつくだろう。本発明は、そのような同等のものおよび変形のものすべてを含むと共に、添付の請求項の範囲によってのみ限定される。
【図面の簡単な説明】
【０１８６】
【図１Ａ】第１伝送線を介しておよび第２電線経路を介して通信するための、上記第１伝送線において上記第２伝送線から第１のクロストークが発生しかつ上記第２伝送線において上記第１伝送線から第２のクロストークが発生する、さまざまな実施形態に係るシステムの概要図である。
【図１Ｂ】さまざまな実施形態に係る図１Ａのシステムをより詳細に示す概要図であり、Ｇ．ｆａｓｔおよびＶＤＳＬ２の無線通信機に共通した位置づけに関するＦＦＴＣ接続形態を示す。
【図１Ｃ】さまざまな実施形態に係る図１Ａのシステムをより詳細に示す概要図であり、Ｇ．ｆａｓｔおよびＶＤＳＬ２の無線通信機の遠隔操作に関するＦＦＴｄｐ接続形態を示す。
【図２】Ｇ．ｆａｓｔが第１スペクトルを使用すると共に、ＶＤＳＬ２が第２スペクトルを使用しかつ第１スペクトルおよび第２スペクトルは重複していない基準実装に係る図１Ａの第１伝送線および第２伝送線を介して通信する際のスペクトルの占有を示す模式図である。
【図３】Ｇ．ｆａｓｔが第１スペクトルを使用すると共に、ＶＤＳＬ２が第２スペクトルを占有しかつ第１および第２スペクトルは重複スペクトルにおいて重複しているさまざまな実施形態に係る図１Ａの第１伝送線および第２伝送線を介して通信する際のスペクトルの占有を示す模式図である。
【図４】Ｇ．ｆａｓｔサービスによる第１伝送線を介した上記通信の上記第１スペクトル、およびＶＤＳＬ２サービスによる第２伝送線を介した上記通信の第２スペクトルをより詳細に示す図である。
【図５】近端クロストークおよび遠端クロストークが示される、第２のクロストークをより詳細に示す図である。
【図６Ａ】さまざまな実施形態に係るＧ．ｆａｓｔサービスによる第１伝送線を介した上記通信の第１スペクトルをより詳細に示す図である。
【図６Ｂ】さまざまな実施形態に係るＧ．ｆａｓｔサービスによる第１伝送線を介した上記通信の第１スペクトルをより詳細に示す図である。
【図７】さまざまな実施形態に係る第１伝送線を介した上記通信の第１スペクトルをより詳細に示す図である。
【図８】さまざまな実施形態に係る方法のフローチャートである。
【図９】さまざまな実施形態に係る方法のフローチャートである。
【図１Ａ】
2016086419.tif 000031
【図１Ｂ】
2016086419.tif 000032
【図１Ｃ】
2016086419.tif 000033
【図２】
2016086419.tif 000034
【図３】
2016086419.tif 000035
【図４】
2016086419.tif 000036
【図５】
2016086419.tif 000037
【図６Ａ】
2016086419.tif 000038
【図６Ｂ】
2016086419.tif 000039
【図７】
2016086419.tif 000040
【図８】
2016086419.tif 000041
【図９】
2016086419.tif 000042
【外国語明細書】
2016086419000001.pdf